(57)【特許請求の範囲】
【請求項１】
透視カバーを囲んだ環状部を有し、この環状部の外周に開放する環状溝が前記環状部に形成された胴と、
前記環状部の外周に回転可能に嵌合する嵌合部を有して前記胴に配置されるとともに、前記嵌合部にこの嵌合部の内周に開放されて前記環状溝と対向するガイド溝が形成された回転ベゼルと、
この回転ベゼルの外側から前記ガイド溝に挿入して前記嵌合部に回転可能に取付けられた少なくとも一本の操作ねじと、
この操作ねじの回転を許容して前記操作ねじの先端部に接続され、前記操作ねじの回転により、前記環状溝及びガイド溝にわたって配置されて前記回転ベゼルの外れ止めをする保持位置と、前記ガイド溝内に没する解除位置とにわたって移動される保持部材と、
を具備したことを特徴とする時計。
【請求項２】
前記環状溝及びガイド溝の夫々が上下方向に対向する互いに平行なガイド面を有しているとともに、前記保持部材が前記ガイド面に案内される互いに平行な上下面を有していることを特徴とする請求項１に記載の時計。
【請求項３】
前記保持部材が、この部材の中央部を上下方向に貫通する縦孔又は溝と、この縦孔又は溝に前記保持部材の高さ方向中央部で連通する円形の横孔を有し、前記操作ねじの先端部が、前記操作ねじのねじ軸部より細い頭付きの嵌合軸部で形成されていて、前記嵌合軸部が前記横孔に回転可能に嵌合されているとともに前記頭で前記横孔に抜け止めされていることを特徴とする請求項１又は２に記載の時計。
【請求項４】
前記ガイド溝が環状に形成されていることを特徴とする請求項１から３の内のいずれか一項に記載の時計。
【請求項５】
前記保持部材が前記保持位置に配置された状態で前記操作ねじの頭部が、前記嵌合部の外周面から突出されていることを特徴とする請求項１から４の内のいずれか一項に記載の時計。
【発明の詳細な説明】
【技術分野】
【０００１】
本発明は、回転可能なベゼルを備えた腕時計などの時計に関する。
【背景技術】
【０００２】
従来、回転ベゼルの内周に設けた突起部が、時刻表示部を覆う透視カバーを囲んだ胴の環状部の外周に設けた突起部を下方へ乗り越えるように、胴に回転ベゼルを回転可能に嵌合させて両突起部を引掛けることにより、回転ベゼルを胴に取付けた腕時計が知られている（例えば、特許文献１参照。）。
【０００３】
又、このような引掛け構造によることなく回転ベゼルを胴に取付けるために、胴の環状部の外周に嵌合された回転ベゼルの外周面に環状溝を形成し、回転ベゼルの外側でかつ腕時計の１２時−６時方向に配置される一対の係合部材を胴に取外し可能にねじ止めし、これら係合部材に設けた円弧状の突起部を回転ベゼルの環状溝に係合させて、この係合状態で回転ベゼルが回転できるようにした腕時計が知られている。この腕時計の胴には、係合部材が配置されていない部分において外周壁が形成され、この外周壁で回転ベゼルの環状溝が露出されないように回転ベゼルの周囲が覆われている（例えば、特許文献１参照。）。
【特許文献１】特開平１１−１１８９５０号公報（段落0003−0007，0020−0038、図１−図５）
【発明の開示】
【発明が解決しようとする課題】
【０００４】
前記後者の技術は、前記前者の技術の不具合、即ち、メンテナンスの際に回転ベゼルがこじって外されることに伴い胴及回転ベゼルが変形するという不具合を解消できる点で優れている。
【０００５】
しかし、前記後者の技術は以下の不具合がある。即ち、回転ベゼルの周囲が胴の外周壁で覆われているので、回転ベゼルを回転操作するときに指が掛かる厚みが薄くならざるを得ず、それにより、回転ベゼルの操作性がよくない。加えて、回転ベゼルの回転操作時に、回転ベゼルの外側に配置された一対の係合部材に使用者の指が当たって回転が妨げられるので、回転ベゼルの操作性がよくない。
【０００６】
更に、胴にねじ止めされる一対の係合部材が回転ベゼルの外側に配置されているので、これら係合部材が、デザイン面での要請から回転ベゼルを大きくしようとする場合の制約となる。そのため、回転ベゼルを大きくするには、胴を含めて大きくしなければならない。
【０００７】
本発明の目的は、変形を伴うことなく回転ベゼルを着脱可能で、かつ、回転ベゼルの回転操作性を向上できるとともに、回転ベゼルを大きくする場合に胴の大型化を招くことがない時計を提供することにある。
【課題を解決するための手段】
【０００８】
本発明は、透視カバーを囲んだ環状部を有し、この環状部の外周に開放する環状溝が前記環状部に形成された胴と、前記環状部の外周に回転可能に嵌合する嵌合部を有して前記胴に配置されるとともに、前記嵌合部にこの嵌合部の内周に開放されて前記環状溝と対向するガイド溝が形成された回転ベゼルと、この回転ベゼルの外側から前記ガイド溝に挿入して前記嵌合部に回転可能に取付けられた少なくとも一本の操作ねじと、この操作ねじの回転を許容して前記操作ねじの先端部に接続され、前記操作ねじの回転により、前記環状溝及びガイド溝にわたって配置されて前記回転ベゼルの外れ止めをする保持位置と、前記ガイド溝内に没する解除位置とにわたって移動される保持部材と、を具備している。
【０００９】
この発明で、胴及び回転ベゼルは、ステンレスやチタン等の金属又は硬質合成樹脂などで形成できる。この発明で、胴の環状溝の断面形状及び回転ベゼルのガイド溝の断面形状は、コの字状、半円状、台形状等にすることができる。この発明で、ガイド溝は、少なくとも一つであればよく、複数であることが好ましい。そして、ガイド溝が一つであるとは、ガイド溝が環状であること以外にも、嵌合部の周方向の一箇所のみに設けられた形態を含んでいる。更に、ガイド溝が１以上である形態でのガイド溝は、その奥面から嵌合部の内周面に開口されたガイド溝の開口に向かうに従い、嵌合部の周方向に次第に広がる構成でもよく、或いはこうした広がりがなく前記奥面の面積と前記開口の面積とが同じである構成でもよい。
【００１０】
この発明で、操作ねじは、嵌合部に環状以外のガイド溝が１以上設けられている場合には、ガイド溝の数に対応して使用される。ガイド溝が環状である場合には、１本の操作ねじを用いることも可能であるが、複数本の操作ねじを用いてそれらを嵌合部の周方向に沿って間隔的好ましくは等間隔に配置するとよい。
【００１１】
この発明で、保持部材は、胴の環状溝及び回転ベゼルのガイド溝の形状に対応した形状に形成される。又、保持部材は、ステンレスやチタン等の金属又は硬質合成樹脂などで形成できる。これとともに、胴を形成する材料との摩擦抵抗が小さい材料を選択して保持部材を形成するとよく、例えば胴がチタン製である場合には鉄系材料で保持部材を形成すると、回転ベゼルの回転操作に伴う環状溝の摩耗を抑制できる点で好ましい。
【００１２】
この発明で、操作ねじが嵌合部に回転可能に取付けられたとは、操作ねじのねじ軸部を、嵌合部に設けたねじ孔にこれを貫通させることにより、ねじ込んで取付けられている場合を含んでいる。これとは別に、操作ねじが、その頭部側の丸い軸部と、この軸部に連続したねじ部からなる先端部を有していて、嵌合部にガイド溝と連通して設けた丸孔に操作ねじの丸い軸部を回転可能に貫通させるとともに、例えば前記丸い軸部の外周に突出されてガイド溝の奥面に係合する環状凸部（なお、この環状凸部は前記丸孔への操作ねじの圧入により丸孔を挿通可能である。）等の抜け止め手段により操作ねじが軸方向に移動しないように保持し、かつ、ガイド溝で回り止めされる保持部材に横方向に延びるねじ孔を設けて、このねじ孔に操作ねじのねじ部からなる先端部を螺合することで、操作ねじが嵌合部に回転可能に取付けられた形態も含んでいる。
【００１３】
この発明で、操作ねじの回転を許容してこのねじの先端部に保持部材を接続するには、実施形態で説明する例以下にも各種の接続形態を採用できる。例えば、操作ねじが嵌合部にねじ込んで回転可能に取付けられている場合、保持部材にこれを横方向に貫通する丸い横孔を設けて、この横孔に、操作ねじの先端部をなす丸い軸部を回転可能に貫通させるとともに、この軸部の外周に止め輪等の抜け止め手段を設けることによって、保持部材を操作ねじの先端部に回転可能に接続してもよい。或いは、操作ねじが嵌合部にねじ込まれることなく回転可能に取付けられている場合、ガイド溝によって回り止めされる保持部材に横方向に延びるねじ孔を設けるとともに、このねじ孔に操作ねじのねじ部からなる先端部を螺合することによって、保持部材を操作ねじの先端部に回転可能に接続してもよい。
【００１４】
請求項１の発明で、胴から回転ベゼルを外すには、保持部材が胴の環状溝から抜け出す方向に移動されるように操作ねじを例えば弛み方向に回転操作することにより、保持部材を回転ベゼルのガイド溝に没入させて解除位置に配置した上で、回転ベゼルを胴の上方に抜き外すことができる。又、組立の際には、保持部材が回転ベゼルのガイド溝に没入された状態で、回転ベゼルを胴の環状部に嵌合させた後、操作ねじを例えば締め付け方向に回転操作して保持部材をガイド溝から突出する方向に移動させることで、保持部材をその一部が胴の環状溝に挿入された保持位置に配置すればよい。これにより、保持部材が胴の環状溝に引っ掛かって、回転ベゼルが上方に抜けて外れないように胴に取付け保持される。組立が完了した後に、回転ベゼルが回転操作力を受けると、胴の環状溝の周方向に対する保持部材の位置が変って、回転ベゼルは任意の回転位置に回転される。
【００１５】
請求項１の発明では、胴に対する回転ベゼルの外れ止めをする保持部材が、回転ベゼルに支持されていて、この回転ベゼルの外側に配置されることがない。このため、保持部材等が回転ベゼルの回転操作を妨げることがない。その上、胴の環状溝を回転ベゼルが覆い隠して、回転ベゼルの嵌合部の外周面全体が露出されているので、回転ベゼルを回転操作する際に使用者の指が掛かるベゼル部分の厚みが大きく確保され、指が掛かり易い。
【００１６】
又、既述のように回転ベゼルの嵌合部の外周面全体が露出されているので、回転ベゼルをデザインする上で有利である。加えて、回転ベゼルの外側に配置されていない保持部材は回転ベゼルを大きくする場合の障害とならない。このため、胴を大きくすることなく回転ベゼルの大径化を図ることが可能であり、したがって、時計全体のデザイン面での制約が少ない。
【００１７】
本発明の好ましい形態では、前記環状溝及びガイド溝の夫々が上下方向に対向する互いに平行なガイド面を有しているとともに、前記保持部材が前記ガイド面に案内される互いに平行な上下面を有している。この発明で、上下のガイド面をわたる環状溝及びガイド溝の奥面は、湾曲していても、ガイド面に対して直角な面であっても差し支えない。
【００１８】
この発明の形態では、胴の環状溝に対する保持部材の嵌り込み深さの程度に拘わらず、環状溝と保持部材との間の上下方向のはめ合い隙間が変わることがない。このため、前記嵌り込み深さが仮に浅い状態であっても、回転ベゼルが上下方向に大きくがたつかないように回転ベゼルを保持できる。
【００１９】
本発明の好ましい形態では、前記保持部材が、この部材の中央部を上下方向に貫通する縦孔又は溝と、この縦孔又は溝に前記保持部材の高さ方向中央部で連通する円形の横孔を有し、前記操作ねじの先端部が、前記操作ねじのねじ軸部より細い頭付きの嵌合軸部で形成されていて、前記嵌合軸部が前記横孔に回転可能に嵌合されているとともに前記頭で前記横孔に抜け止めされている。
【００２０】
この発明の形態では、保持部材が操作ねじから外れなくする部品を要しないとともに、頭付き嵌合軸部を横孔に貫通させるだけの手間で、保持部材と操作ねじとを接続する組立てができる。更に、既述のように保持部材が操作ねじから外れなくする部品に相当する嵌合軸部の頭を、保持部材の縦孔に収めたので、前記部品を考慮して環状溝を深く形成する必要がない。よって、環状溝を浅くできるに伴い、この環状溝が形成された胴の嵌合部を、それに必要な強度を得る肉厚を維持する上で大径とならないようにできる。
【００２１】
本発明の好ましい形態では、前記ガイド溝が環状に形成されている。
【００２２】
この発明の形態では、回転ベゼルに対してその内周に開放するガイド溝を簡単に形成できる。
【００２３】
本発明の好ましい形態では、前記保持部材が前記保持位置に配置された状態で前記操作ねじの頭部が、前記嵌合部の外周面から突出されている。この発明で、操作ねじの頭部は半球状にすることが好ましく、又、嵌合部にはその外周面から一体に突出する半球状の凸部を嵌合部の周方向に沿って間隔的に設けて、この凸部の並びの中に操作ねじの頭部が位置されるようにすると、更に指が掛かり易くなるので好ましい。
【００２４】
この発明の形態では、操作ねじの頭部を、回転ベゼルが回転操作される際に使用者の指が掛かる部位として利用できる。
【発明の効果】
【００２５】
本発明によれば、回転ベゼル及び胴の変形を伴うことなく回転ベゼルを着脱することが可能であり、かつ、回転ベゼルに指が掛かり易いことに加えて回転ベゼルの周りに回転操作を妨げる部材がないので回転ベゼルの回転操作性を向上できるとともに、回転ベゼルの周りに部材がないので、デザイン面から回転ベゼルを大きくする場合に胴の大型化を招くことがない時計を提供できる。
【発明を実施するための最良の形態】
【００２６】
図１〜図６を参照して本発明の第１実施形態を説明する。
【００２７】
図１中符号１０は、時計、例えば携帯時計、具体的には腕時計を示している。この腕時計１０が備える時計外装組立１１には、図３及び図４に示すように表示針１２（図１参照）を駆動する時計ムーブメント１３、この時計ムーブメント１３に取付けられた文字板１４、及び時計ムーブメント１３を時計外装組立１１に保持する枠状部材１５等が収容されている。表示針１２及び文字板１４は時計表示部をなす。
【００２８】
図３及び図４に示すように時計外装組立１１は、金属により環状に作られた胴１６に、透明カバーとして例えばカバーガラス１７と裏蓋１８を取付けて形成されている。なお、透明カバーは透明な合成樹脂で形成することも可能である。胴１６の正面側には平面視円形の環状部１６ａが一体に形成されており、この環状部１６ａの内側にカバーガラス１７が液密に装着されている。したがって、環状部１６ａはカバーガラス１７を囲んで設けられている。なお、図３及び図４中符号１９は環状部１６ａとカバーガラス１７とに挟まれた環状の防水パッキンを示している。カバーガラス１７を通して表示針１２及び文字板１４は視認可能である。裏蓋１８は、金属製であり、胴１６の背面側に取外し可能に螺合されている。なお、図３及び図４中符号２０は胴１６と裏蓋１８とに挟まれた環形の防水パッキンを示している。
【００２９】
図２〜図４に示すように胴１６の環状部１６ａには環状溝２１が形成されている。環状溝２１は環状部１６ａの外周に開放されている。この環状溝２１の断面形状はコ字形状であり、したがって、環状溝２１は上下方向に対向する互いに平行な水平状のガイド面２１ａ，２１ｂを有している。
【００３０】
胴１６は、環状部１６ａの根元に一体に連続して外側に張り出す環状の肩部１６ｂを有している。肩部１６ｂにはその上面に開放する凹溝２２が形成されている。凹溝２２は環形をなしていて、環状部１６ａと同心的に設けられている。
【００３１】
図１及び図２中符号１６ｃ，１６ｄは胴１６と一体のかん足を示している。３時−９時方向に相対向した一対のかん足１６ｃは１２時側に設けられている。同じく３時−９時方向に相対向した他の一対のかん足１６ｄは６時側に設けられている。これらのかん足１６ｃには図示しない時計バンドが取付けられる。なお、図１及び図２中符号２３は竜頭を示している。
【００３２】
図１に示すように時計外装組立１１はリング形状の回転ベゼル３１を備えている。回転ベゼル３１は、例えば金属製であり、図３及び図４に示すように嵌合部３２及びこれと一体のカバー部３３を有している。カバー部３３は、嵌合部３２とは別に形成して、嵌合部３２に連結することもできる。
【００３３】
回転ベゼル３１の嵌合部３２は、例えば環状部１６ａの高さと同程度の高さを有した短い円筒形状をなしていて、環状部１６ａの外周に着脱可能に嵌合されている。この嵌合部３２の外径は例えば胴１６の肩部１６ｂの外径と略同じであるので、図３及び図４に示すように嵌合部３２の外周面は、肩部１６ｂの外周面に対して上方に面一に連なるように設けられている。
【００３４】
カバー部３３は、嵌合部３２の上端から内側に折れ曲がって、環状部１６ａの上端面を覆っている。嵌合部３２の外周面とカバー部３３の表面とがなす角に、図１に示すように回転ベゼル３１の周方向に沿って一定間隔で溝３４が形成されている。各溝３４は回転ベゼル３１を回転操作する際に使用者の指が滑らないようにするために設けられている。なお、これらの溝３４は嵌合部３２の外周面に上下方向全体にわたり延ばして設けることもできる。
【００３５】
カバー部３３の表面には、図１に示すように数字やメモリなどの回転位置を示すための表示３３ａが設けられている。この表示３３ａは回転ベゼル３１の回転操作により文字板１４の表示との任意関係位置に合わせることができる。したがって、例えば競技開始時刻や潜水開始等の特定の表示針角度に表示３３ａを合わせて置くことで、競技開始時点からの経過時間や潜水開始からの経過時間を知ることができる。
【００３６】
次に、回転ベゼル３１の回転操作を許容しつつこの回転ベゼル３１を胴１６から外れないようにするための保持手段を説明する。この保持手段は、前記環状溝２１と、嵌合部３２に支持された複数例えば３本の操作ねじ４１と、これら操作ねじ４１に接続された保持部材５１とを備えている。
【００３７】
詳しくは、回転ベゼル３１の嵌合部３２はこの嵌合部３２の内周面に開放するガイド溝３５を有している。ガイド溝３５は図２に示すように環状に形成されていて前記環状溝２１と同じ高さに設けられている。したがって、ガイド溝３５と環状溝２１は互いの開口を対向させて連通するように設けられている。
【００３８】
ガイド溝３５は環状溝２１と同様に上下方向に対向する互いに平行な水平状のガイド面３５ａ，３５ｂを有している。ガイド溝３５を環状とした構成は、このガイド溝３５を回転ベゼル３１に切削により加工する場合に、加工性がよい点で好ましい。
【００３９】
嵌合部３２には、操作ねじ４１と同数の凹部３６及びねじ孔３７が設けられている。凹部３６は、丸穴からなるとともに、ガイド溝３５と対応してこれと同じ高さに設けられていて、嵌合部３２の外周面に開放されている。ねじ孔３７は凹部３６より小径であり、ガイド溝３５と凹部３６とを連通している。凹部３６とこれの中央部及びガイド溝３５の奥面に両端が開放されたねじ孔３７とは、図２に示すように例えば１２０度間隔で設けられている。
【００４０】
図３〜図５に示すように操作ねじ４１は、ねじ軸部４２の一端部に頭部４３を設けるとともに、ねじ軸部４２の他端部に、操作ねじ４１の先端部をなす頭４４ａ付きの嵌合軸部４４を設けて形成されている。頭部４３はそれ全体が凹部３６に収まる大きさに作られている。嵌合軸部４４はねじ軸部４２より細く形成されているとともに、その頭４４ａは先細状をなしている。
【００４１】
操作ねじ４１は、回転ベゼル３１の嵌合部３２の外側からねじ孔３７にねじ込まれて、回転ベゼル３１の径方向に沿って移動可能に取付けられている。図３に示すように頭部４３が凹部３６の奥面に当たるまで操作ねじ４１がねじ込まれた状態で、頭部４３全体が凹部３６に没入されるようになっている。
【００４２】
図６に示すように保持部材５１は例えば直方体状をなす金属のブロックで形成されている。この保持部材５１の高さ寸法Ａは、環状溝２１のガイド面２１ａ，２１ｂ間の寸法、及びガイド溝３５のガイド面３５ａ，３５ｂ間の寸法に略等しい。保持部材５１の幅Ｂは、ガイド溝３５の奥行き寸法以下である。したがって、保持部材５１は全体がガイド溝３５に没入できる大きさに作られている。
【００４３】
図５及び図６に示すように保持部材５１は縦孔５２と横孔５３を有している。図３及び図４に示すように縦孔５２は保持部材５１の中央部に上下方向に貫通していて、前記頭４４ａを収容できる大きさに作られている。横孔５３は保持部材５１の高さ方向中央部で縦孔５２に連通している。この横孔５３は円形の孔であり、その直径は、嵌合軸部４４の頭４４ａを除いた部位より大きく、頭４４ａの直径より小さい。なお、縦孔５２に代えて、上下方向に貫通する溝とすることもできる。
【００４４】
この保持部材５１の回転ベゼル３１に対する取付けは以下の手順で行われる。
【００４５】
まず、回転ベゼル３１のねじ孔３７に操作ねじ４１をねじ込んで、その嵌合軸部４４をガイド溝３５内に突出させる。
【００４６】
次に、保持部材５１をその横孔５３を下に向けてガイド溝３５に挿入しつつ、横孔５３を嵌合軸部４４に嵌合させる。これにより、嵌合軸部４４の頭４４ａが可撓変形を伴って横孔５３に圧入される。
【００４７】
そして、頭４４ａが横孔５３を通り抜けて縦孔５２内に配置された時点で、嵌合軸部４４が横孔５３に回転可能に嵌合されるとともに、頭４４ａが復元されて横孔５３から嵌合軸部４４が抜けないように組立てられる。この組立状態で保持部材５１の水平状をなす上下面(上面のみ図６に符号５１ａで示す。)が、ガイド溝３５のガイド面３５Ａ，３５ｂに摺動可能に接するようになっている。
【００４８】
したがって、胴１６に対して回転ベゼル３１は以下の手順で取付けられる。まず、操作ねじ４１を弛み方向に回転操作することにより、ガイド溝３５のガイド面３５ａ，３５ｂに摺動させるようにして保持部材５１を操作ねじ４１とともに移動させて、図３に示すように保持部材５１全体をガイド溝３５内に没入するように引き込んだ位置、つまり、解除位置に保持部材５１を配置する。
【００４９】
次に、回転ベゼル３１の嵌合部３２を、胴１６の環状部１６ａを覆うように嵌合させる。
【００５０】
この後、操作ねじ４１を締め付け方向にねじ込むことにより、ガイド面３５ａ，３５ｂを案内として保持部材５１を前記解除位置から環状部１６ａに向けて操作ねじ４１とともに移動させる。それにより、保持部材５１の一部（先端側部位）が図４に示すように環状溝２１に挿入された保持位置に配置されて、この保持部材５１の上面５１ａが環状壁２１のガイド面２１ａに摺動可能に接するとともに、保持部材５１の下面が環状壁２１のガイド面２１ｂに摺動可能に接するようになっている。
【００５１】
この保持位置では、保持部材５１が環状溝２１とガイド溝３５にわたって配置されている。そのため、保持部材５１の環状溝２１への引掛かりにより、環状部１６ａに対して回転ベゼル３１が上方に向けることが防止された状態に回転ベゼル３１が胴１６に取付け保持される。
【００５２】
又、回転ベゼル３１まわりのメンテナンスをする際などに、胴１６から回転ベゼル３１を外すには、以上説明した組立と逆の手順で行えばよい。
【００５３】
以上のように回転ベゼル３１に回転可能に取付けられた操作ねじ４１の回転により、保持部材５１を解除位置に移動させることで、回転ベゼル３１を胴１６から外すことができる。そのため、回転ベゼル３１及び胴１６に過大な外力が与えられないから、回転ベゼル３１及び胴１６が変形されることがない。又、胴１６に回転ベゼル３１を取付ける場合にも同様である。
【００５４】
胴１６の肩部１６ｂの上面に対向する回転ベゼル３１の嵌合部３２の下面に、多数の係合溝３８(一つのみ図示)が設けられている。これら係合溝３８は、嵌合部３２の周方向に沿って連続的に形成されていて、前記凹溝２２に対向している。凹溝２２に回転ベゼル３１を上向きに付勢する板ばね３９が取付けられていて、この板ばね３９が自己の弾性力で係合溝３８に係脱可能に係合されている。回転ベゼル３１を回転させるに伴って板ばね３９が係合溝３８に係脱され、それにより、回転ベゼル３１の回転操作にクリック感が与えられる。
【００５５】
図３及び図４中符号４５は、カバー部３３とガイド溝３５との間に位置して嵌合部３２の内周面を取付けられたパッキンを示している。このパッキン４５は、軟質の合成ゴム等から環状に形成されていて、その内周面を環状溝２１より上方の位置で環状部１６ａの外周面に密接して設けられている。
【００５６】
それにより、回転ベゼル３１の回転に適度の抵抗が与えられるとともに、環状部１６ａの外周面と嵌合部３２の内周面との摩耗が防止されるようになっている。なお、板ばね３９及びパッキン４５はメンテナンス対象部品である。又、このパッキン４５により、腕時計１０の正面側から前記保持手段に砂粒や埃などの異物が環状溝２１に侵入することが抑制されるので、回転ベゼル３１の回転に支障を来たさないようにできる。
【００５７】
前記構成を備えた腕時計１０では、胴１６に対する回転ベゼル３１の外れ止めをする保持部材５１とこれを移動させる操作ねじ４１が、回転ベゼル３１に支持されている。このため、操作者が回転ベゼル３１を回転操作する際に、保持部材５１等がストッパとなって、回転ベゼル３１の回転操作を妨げることがない。
【００５８】
その上、回転ベゼル３１が胴１６の環状溝２１を覆い隠して、回転ベゼル３１の嵌合部３２の外周面全体が露出されている。そのため、回転ベゼル３１を回転操作する際に使用者の指が係るベゼル部分の厚みが大きく確保され、指が掛かり易い。したがって、回転ベゼル３１の回転操作性を向上できる。
【００５９】
回転ベゼル３１が回転操作されて環状溝２１の周方向に対する保持部材５１の位置が変えられる際、保持部材５１は環状溝２１の周方向に沿ってガイド面２１ａ，２１ｂを摺動する。この場合、環状溝２１を摺動する複数の保持部材５１が、環状溝２１の周方向に等間隔で配置されているので、回転ベゼル３１が傾くようなことがなく、その回転を安定させることができる。
【００６０】
既述のように回転ベゼル３１の嵌合部３２が胴１６の環状溝２１を覆い隠していて、この嵌合部３２の外周面全体は露出されている。それにより、この露出面を含めて回転ベゼル３１をデザインできるので、デザインをする上で有利である。加えて、胴１６に対する回転ベゼル３１の外れ止めをする保持部材５１が回転ベゼル３１の外側に配置されていないので、保持部材５１が回転ベゼル３１を大きくすることに障害とならない。それにより、胴１６を大きくすることなく回転ベゼル３１の大径化を図ることが可能であるので、腕時計１０全体のデザイン面での制約が少なく、デザイン上での設計の自由度が高い。
【００６１】
又、胴１６の環状溝２１が上下方向に対向する互いに平行なガイド面２１ａ，２１ｂを有しているとともに、ガイド溝３５も上下方向に対向する互いに平行なガイド面３５ａ，３５ｂを有していて、これらのガイド面に保持部材５１の上下面がガイドされるようになっている。そのため、環状溝２１に対する保持部材５１の嵌り込み深さの程度に拘わらず、環状溝２１と保持部材５１との間の上下方向のはめ合い隙間が変わることがない。したがって、前記嵌り込み深さが仮に浅い状態であっても、回転ベゼル３１が上下方向に大きくがたつかないように回転ベゼル３１を保持できるので、回転ベゼル３１の回転を安定させることができる。
【００６２】
更に、操作ねじ４１の頭４４ａ付きの嵌合軸部４４を保持部材５１の横孔５３に回転可能に嵌合させて、嵌合軸部４４の頭４４ａで横孔５３に対する嵌合軸部４４の抜け止めをして、保持部材５１と操作ねじ４１とを接続したので、保持部材５１が操作ねじ４１から外れなくする部品を要しない。これとともに、嵌合軸部４４を横孔５３に貫通させるだけの手間で、保持部材５１と操作ねじ４１とを接続できる。したがって、保持部材５１と操作ねじ４１とを接続作業性がよい。
【００６３】
又、保持部材５１が操作ねじ４１から外れなくする部品に相当する嵌合軸部４４の頭４４ａを、保持部材５１の縦孔５２に収めたので、前記外れなくする部品の厚み等を考慮して環状溝２１を深く形成する必要がない。よって、環状溝２１を浅くできるに伴い、この環状溝２１が形成された胴１６の環状部１６ａを、それに必要な強度を得る肉厚を維持する上で大径とならないようにできる。
【００６４】
図７を参照して本発明の第２実施形態を説明する。第２実施形態は以下説明する事項以外は、第１実施形態と同じであるので、第１実施形態と同じ構成については、第１実施形態と同じ符号を付してその説明を省略する。
【００６５】
第２実施形態では、保持部材５１を保持位置に配置した状態でも操作ねじ４１の頭部４３が、嵌合部３２の外周面より突出されている。更に、頭部４３は例えば半球状に形成されている。以上説明した事項以外は第１実施形態と同じである。
【００６６】
したがって、第２実施形態の腕時計１０も、第１実施形態で既に説明した理由によって本発明の課題を解決できる。しかも、嵌合部３２の外周面より突出された操作ねじ４１の頭部４３を、回転ベゼル３１が回転操作される際に使用者の指が掛かる部位として利用できるので、回転ベゼル３１の回転操作性を更に向上するのに有効である。
【図面の簡単な説明】
【００６７】
【図１】本発明の第１実施形態に係る腕時計を示す平面図。
【図２】図１の腕時計を示す横断平面図。
【図３】図１の腕時計が備える回転ベゼルが胴に取付け保持された状態を図１中Ｚ−Ｚ線に沿って示す断面図。
【図４】図１の腕時計が備える回転ベゼルの胴に対する保持が解除された状態を図１中Ｚ−Ｚ線に沿って示す断面図。
【図５】図１の腕時計が備える保持部材と操作ねじとを関係を示す断面図。
【図６】図１の腕時計が備える保持部材を示す斜視図。
【図７】本発明の第２実施形態に係る腕時計を示す前記図３相当の断面図。
【符号の説明】
【００６８】
１０…腕時計(時計)
１６…胴
１６ａ…胴の環状部
１７…カバーガラス(透明カバー)
２１…環状部の環状溝
２１ａ，２１ｂ…環状溝のガイド面
３１…回転ベゼル
３２…回転ベゼルの嵌合部
３３…回転ベゼルのカバー部
３５…嵌合部のガイド溝
３５ａ，３５ｂ…ガイド溝のガイド面
３６…嵌合部の凹部
３７…嵌合部のねじ孔
４１…操作ねじ
４２…操作ねじのねじ軸部
４３…操作ねじの頭部
４４…操作ねじの嵌合軸部
４４ａ…嵌合軸部の頭
５１…保持部材
５２…保持部材の縦孔
５３…保持部材の横孔
【図１】
0004878339.tif 000002
【図２】
0004878339.tif 000003
【図３】
0004878339.tif 000004
【図４】
0004878339.tif 000005
【図５】
0004878339.tif 000006
【図６】
0004878339.tif 000007
【図７】
0004878339.tif 000008